(57)【要約】【課題】スナップイン固定によって下地材に対してパネルを着脱自在に固定する一方，その固定が強固且つ確実で耐久性を有するものとする。【解決手段】下地材１０に下地材側係止金具２０を固定することによって形成した挿入溝４０にパネル１に設置したパネル側係止金具３０を圧入することによってパネル１をスナップイン固定するとともに下地材１０の側面を傾斜面とし，パネル側係止金具３０の先端突起３４がこの傾斜面に摺動圧接した状態で逆向きの中間係止突起３５を下地材側係止金具２０の傾斜Ｖ字状の中間係止溝２５にスナップイン係止して，パネル側係止金具３０を常時強圧挟持してパネル１の保持を行なうようにする。【選択図】        図２
2004244853.tif 000002
【特許請求の範囲】
【請求項１】
定位置設置の下地材と，該下地材に設置して下地材側面との間に挿入溝を形成し且つその下地材対向面側に中間係止溝を設置した下地材側係止金具と，パネル端部に設置してその下地材対向面側に中間突起と先端突起をまた下地材側係止金具側に中間係止突起をそれぞれ設置し且つそのパネル端部近傍付近に透孔を設置した上記挿入溝に挿入用のパネル側係止金具とを備え，該パネル側係止金具を上記挿入溝に挿入し中間突起を下地材の正面に引掛け係止して先端突起を下地材側面に対接状態とするとともに中間係止突起を下地材側係止金具の中間係止溝にスナップイン係止することによってパネルを下地材に固定する一方，上記透孔を介して下地材側係止金具のパネル側先端を押圧して上記スナップイン係止を解除しパネルを下地材から取外し自在としたパネル固定装置であって，上記下地材側面を正面側に向けて幅狭とするように傾斜面とすることにより上記パネル側係止金具の先端突起をスナップイン係止前後で該傾斜面に対して摺動圧接自在とするとともに上記下地材側係止金具の中間係止溝を挿入方向に傾斜開口した傾斜Ｖ字溝とし且つパネル側係止金具の中間係止突起を挿入方向逆向きに傾斜突出した傾斜突起とすることにより上記パネル側係止金具を下地材と下地材側係止金具間に常時強圧挟持自在としてなることを特徴とするパネル着脱自在のスナップイン固定装置。
【請求項２】
上記下地材側係止金具を曲げ鋼板製とし，上記パネル側係止金具をアルミ押出材製として，上記スナップイン係止をこれら金属の弾発性を用いて中間係止溝強制拡開状態の引掛け係止としてなることを特徴とする請求項１に記載のパネル着脱自在のスナップイン固定装置。
【請求項３】
上記パネル側係止金具の先端突起を，上記下地材の傾斜面に線接触自在の形状に形成してなることを特徴とする請求項１又は２に記載のパネル着脱自在のスナップイン固定装置。
【請求項４】
上記下地材側係止金具における傾斜Ｖ字溝による中間係止溝の内角を８０±５°程度としてなることを特徴とする請求項１，２又は３に記載のパネル着脱自在のスナップイン固定装置。
【請求項５】
上記下地材側係止金具を，下地材固定用の固定片と，該固定片から屈曲延設して下地材対向面側に傾斜した傾斜片と，該傾斜片から屈曲延設してパネル幅方向の端部側に緩傾斜又は直交して上記中間係止溝を設置した係止片と，該係止片を更に屈曲延設した上記パネル側係止金具の透孔から押圧操作可能の押圧片とを備えて形成してなることを特徴とする請求項１，２，３又は４に記載のパネル着脱自在のスナップイン固定装置。
【請求項６】
上記下地材側係止金具の傾斜片を，上記固定片から湾曲部を介して屈曲延設してなることを特徴とする請求項５に記載のパネル着脱自在のスナップイン固定装置。
【請求項７】
上記下地材側係止金具の押圧片に透孔を設置してなることを特徴とする請求項５又は６に記載のパネル着脱自在のスナップイン固定装置。
【請求項８】
定位置設置の下地材と，該下地材に設置して下地材側面との間に挿入溝を形成し且つその下地材対向面側に中間係止突起を設置した下地材側係止金具と，パネル端部に設置してその下地材対向面側に中間突起と先端突起をまた下地材側係止金具側に中間係止溝をそれぞれ設置し且つそのパネル端部近傍付近に透孔を設置した上記挿入溝に挿入用のパネル側係止金具とを備え，該パネル側係止金具を上記挿入溝に挿入し中間突起を下地材の正面に引掛け係止して先端突起を下地材側面に対接状態とするとともに中間係止溝を下地材側係止金具の中間係止突起にスナップイン係止することによってパネルを下地材に固定する一方，上記透孔を介して下地材側係止金具のパネル側先端を押圧して上記スナップイン係止を解除しパネルを下地材から取外し自在としたパネル固定装置であって，上記下地材側面を正面側に向けて幅狭とするように傾斜面とすることにより上記パネル側係止金具の先端突起をスナップイン係止前後で該傾斜面に対して摺動圧接自在とするとともに上記下地材側係止金具の中間係止突起を挿入方向に傾斜突出した傾斜突起とし且つパネル側係止金具の中間係止溝を挿入方向逆向きに傾斜開口した傾斜Ｖ字溝とすることにより上記パネル側係止金具を下地材と下地材側係止金具間に常時強圧挟持自在としてなることを特徴とするパネル着脱自在のスナップイン固定装置。
【発明の詳細な説明】
【０００１】
【発明の属する技術分野】
本発明は，例えば壁面，天井面等の内外装のためにパネルを建築物の躯体に設置するに用いる着脱自在のスナップインパネル固定装置に関する。
【０００２】
【先行技術及び発明が解決しようとする課題】
この種のパネル固定は，下地材に対してパネルを直接にネジ止めしたり，例えばパネル設置用金具（ファスナー）を介してパネルをネジ止めするように，一般にネジ（ボルトを含む）を使用して行うものとされており，この場合ネジを操作して一度設置したパネルを取り外すことが可能であり，躯体との間の配線の点検等の各種メンテナンスに対応し得るし，設置工事で設置位置を間違えたパネルの張替えも可能となるが，多数箇所における締着作業が必要となり，パネル設置工事が煩雑化する傾向がある上，パネルの正面や側面のフランジにネジ（ネジ頭）が露出することを避け難く，特に，例えばロビー，ホール等の壁面や天井面等にあっては，設置パネルの外観が損なわれ易いという傾向を招き，その改善が求められている。
【０００３】
このため本発明者は，特願２００２−３２３０６号によって簡易な構造で作業性がよく，パネルの着脱を自在とし，更にネジ等の露出がなく外観が良好とし得るようにした着脱自在のスナップインパネル固定装置を提案済みであり，これによれば，定位置設置の下地材と，該下地材に設置して下地材側面との間に挿入溝を形成し且つその下地材対向面側に中間係止溝を設置した下地材側係止金具と，パネル端部に設置してその下地材対向面側に中間突起と先端突起をまた下地材側係止金具側に中間係止突起をそれぞれ設置し且つそのパネル端部近傍付近に透孔を設置した上記挿入溝に挿入用のパネル側係止金具とを備え，該パネル側係止金具を上記挿入溝に挿入し中間突起を下地材の正面に引掛け係止して先端突起を下地材側面に対接状態とするとともに中間係止突起を下地材側係止金具の係止溝にスナップイン係止することによってパネルを下地材に固定する一方，上記透孔を介して下地材側係止金具のパネル側先端を押圧して上記スナップイン係止を解除しパネルを下地材から取外し自在としたものとされる。
【０００４】
しかしこの場合パネルは下地材と下地材側係止金具の挿入溝にパネル側係止金具を挿入してパネル側係止金具を下地材側係止金具にスナップイン係止してパネルをスナップイン固定するものとされるから，着脱を繰り返すと，スナップイン固定したパネル毎に多数とされるいずれか又は複数のスナップイン係止が疲労し，パネル固定の保持力が弱まってパネルにガタツキや位置ズレ等を生じる可能性が残り，イベント会場等比較的短期使用のものは別としても，長期に亘って使用する場合にはパネル固定の耐久性が損われる可能性が残り，その解決が望まれる。
【０００５】
本発明はかかる事情に鑑みてなされたもので，その解決課題とするところは，パネルを着脱自在としつつもその固定を強固且つ確実に行って固定の耐久性を確保することによって実用性に富んだ着脱自在のパネルスナップイン固定装置を提供するにある。
【０００６】
【課題を解決するための手段】
上記課題に添って本発明は，パネルに設置したパネル側係止金具をパネル取付用の胴縁，天井下地等の下地材とこれに設置した下地材側係止金具間にスナップイン係止することによって該パネル側係止金具をこれら下地材と下地材側係止金具によって常時強圧挟持自在とし，これら金具によるパネル保持力を可及的高度に発揮して，ガタツキや位置ズレ等の発生を抑制し長期に亘って固定の耐久性と安定性を維持確保することによって，パネルを着脱自在としつつもその固定を強固且つ確実に行って固定の耐久性を確保して実用性に富むようにし，そのために下地材側面を傾斜面としてパネル側係止金具が該傾斜面に摺動圧接状態でスナップイン係止を行なう一方，パネル側係止金具の中間係止突起を挿入方向と逆向きに傾斜したものとする一方，下地材側係止金具の中間係止溝を同じく逆向きに傾斜して開口するとともに該中間係止溝をＶ字溝とすることによってそのスナップイン係止を行なうことによって上記常時の強圧挟持を部材の疲労や緩みを解消するようにしたものであって，即ち請求項１に記載の発明を，定位置設置の下地材と，該下地材に設置して下地材側面との間に挿入溝を形成し且つその下地材対向面側に中間係止溝を設置した下地材側係止金具と，パネル端部に設置してその下地材対向面側に中間突起と先端突起をまた下地材側係止金具側に中間係止突起をそれぞれ設置し且つそのパネル端部近傍付近に透孔を設置した上記挿入溝に挿入用のパネル側係止金具とを備え，該パネル側係止金具を上記挿入溝に挿入し中間突起を下地材の正面に引掛け係止して先端突起を下地材側面に対接状態とするとともに中間係止突起を下地材側係止金具の中間係止溝にスナップイン係止することによってパネルを下地材に固定する一方，上記透孔を介して下地材側係止金具のパネル側先端を押圧して上記スナップイン係止を解除しパネルを下地材から取外し自在としたパネル固定装置であって，上記下地材側面を正面側に向けて幅狭とするように傾斜面とすることにより上記パネル側係止金具の先端突起をスナップイン係止前後で該傾斜面に対して摺動圧接自在とするとともに上記下地材側係止金具の中間係止溝を挿入方向に傾斜開口した傾斜Ｖ字溝とし且つパネル側係止金具の中間係止突起を挿入方向逆向きに傾斜突出した傾斜突起とすることにより上記パネル側係止金具を下地材と下地材側係止金具間に常時強圧挟持自在としてなることを特徴とするパネル着脱自在のスナップイン固定装置としたものである。
【０００７】
請求項２に記載の発明は，上記に加えて，課題解決に不可欠な部材である下地材側係止金具とパネル側係止金具の材料を特定することによって中間係止突起が中間係止溝の強制拡開状態とするようにスナップイン係止を行なって上記常時強圧挟持を更に確実になし得るものとするように，これを，上記下地材側係止金具を曲げ鋼板製とし，上記パネル側係止金具をアルミ押出材製として，上記スナップイン係止をこれら金属の弾発性を用いて中間係止溝強制拡開状態の引掛け係止としてなることを特徴とする請求項１に記載のパネル着脱自在のスナップイン固定装置としたものである。
【０００８】
請求項３に記載の発明は，同じく上記に加えて，パネルに多数使用するパネル側係止金具の摺動圧接を可及的スムーズになし得る形態として，挿入時の抵抗を可及的に減少しパネル固定作業の作業性を高度に確保し得るものとするように，これを，上記パネル側係止金具の先端突起を，上記下地材の傾斜面に線接触自在の形状に形成してなることを特徴とする請求項１又は２に記載のパネル着脱自在のスナップイン固定装置としたものである。
【０００９】
請求項４に記載の発明は，同じく上記に加えて，上記下地材側係止金具における中間係止溝の鋭角角度が７５°程度を下回るとパネル側係止金具における中間係止突起の受入れが浅くなってスナップイン係止が不確実となる一方，また８５°程度を上回ると該中間係止突起の保持が緩くなってスナップイン係止の安定性が損われる可能性が生じることから，これを，上記下地材側係止金具における傾斜Ｖ字溝による中間係止溝の内角を８０±５°程度としてなることを特徴とする請求項１，２又は３に記載のパネル着脱自在のスナップイン固定装置としたものである。
【００１０】
請求項５に記載の発明は，同じく上記加えて，上記不可欠部材である下地材側係止金具がそのスプリング効果による強固な挟持力を発揮して該金具を上記常時の強圧挟持に適したものとするように，これを，上記下地材側係止金具を，下地材固定用の固定片と，該固定片から屈曲延設して下地材対向面側に傾斜した傾斜片と，該傾斜片から屈曲延設してパネル幅方向の端部側に緩傾斜又は直交して上記中間係止溝を設置した係止片と，該係止片を更に屈曲延設した上記パネル側係止金具の透孔から押圧操作可能の押圧片とを備えて形成してなることを特徴とする請求項１，２，３又は４に記載のパネル着脱自在のスナップイン固定装置としたものである。
【００１１】
請求項６に記載の発明は，同じく上記に加えて，該下地材側係止金具のスプリング効果が固定片から傾斜片を屈曲延設することによって該屈曲部が疲労する可能性があることから，該屈曲部を湾曲した形状としてスプリング効果の耐久性を高度のものとするように，これを，上記下地材側係止金具の傾斜片を，上記固定片から湾曲部を介して屈曲延設してなることを特徴とする請求項５に記載のパネル着脱自在のスナップイン固定装置としたものである。
【００１２】
請求項７に記載の発明は，同じく上記に加えて，パネル着脱の作業によって下地材側係止金具が変形を来すような事態を生じたとしても，例えばその先端に位置する押圧片を引掛け具で引寄せる等することによって，その変形矯正の簡易な補修をなし得るようにして該金具の交換を可及的に不用として充分なスプリング効果を発揮し得るものとするように，これを，上記下地材側係止金具の押圧片に透孔を設置してなることを特徴とする請求項５又は６に記載のパネル着脱自在のスナップイン固定装置としたものである。
【００１３】
請求項８に記載の発明は，上記下地材側係止金具に設置した中間係止溝とパネル側係止金具に設置した中間係止突起とを，下地材側係止金具に中間係止突起を，パネル側係止金具に中間係止溝を設置することによって，中間係止溝及び中間係止突起の設置対象を逆とすることによっても同様にスナップイン係止とこれによる常時の強圧挟持をなし得ることから，これを，定位置設置の下地材と，該下地材に設置して下地材側面との間に挿入溝を形成し且つその下地材対向面側に中間係止突起を設置した下地材側係止金具と，パネル端部に設置してその下地材対向面側に中間突起と先端突起をまた下地材側係止金具側に中間係止溝をそれぞれ設置し且つそのパネル端部近傍付近に透孔を設置した上記挿入溝に挿入用のパネル側係止金具とを備え，該パネル側係止金具を上記挿入溝に挿入し中間突起を下地材の正面に引掛け係止して先端突起を下地材側面に対接状態とするとともに中間係止溝を下地材側係止金具の中間係止突起にスナップイン係止することによってパネルを下地材に固定する一方，上記透孔を介して下地材側係止金具のパネル側先端を押圧して上記スナップイン係止を解除しパネルを下地材から取外し自在としたパネル固定装置であって，上記下地材側面を正面側に向けて幅狭とするように傾斜面とすることにより上記パネル側係止金具の先端突起をスナップイン係止前後で該傾斜面に対して摺動圧接自在とするとともに上記下地材側係止金具の中間係止突起を挿入方向に傾斜突出した傾斜突起とし且つパネル側係止金具の中間係止溝を挿入方向逆向きに傾斜開口した傾斜Ｖ字溝とすることにより上記パネル側係止金具を下地材と下地材側係止金具間に常時強圧挟持自在としてなることを特徴とするパネル着脱自在のスナップイン固定装置としたものである。
【００１４】
本発明はこれら各請求項に記載の発明をそれぞれ発明の要旨として上記課題解決の手段としたものである。
【００１５】
【発明の実施の形態】
以下図面の例に従って本発明を更に具体的に説明すれば，１は，例えば樹脂系芯材と表裏のアルミ仕上材による複合パネル（商標名「アルポリック」）による内装又は外装用のパネル，１０は下地材であり，該パネル１はその四周に設置したパネル側係止金具３０を介して，下地材１０と該下地材１０に設置した下地材側係止金具２０間にスナップイン係止することによって該パネル側係止金具３０をこれら下地材１０と下地材側係止金具２０に常時強圧挟持自在とし，これら金具によるパネル保持力を可及的高度に発揮して，ガタツキや位置ズレ等の発生を抑制し長期に亘って固定の耐久性と安定性を維持確保することによって，パネルを着脱自在としつつもその固定を強固且つ確実に行って，その建物躯体に設置した下地材１０に対する固定の耐久性を確保したものとしてある。
【００１６】
即ち下地材１０は定位置に設置し，下地材側係止金具２０は該下地材１０に設置して下地材１０側面との間に挿入溝４０を形成し且つその下地材１０対向面側に中間係止溝２５を設置したものとし，パネル側係止金具３０は，パネル１端部に設置してその下地材１０対向面側に中間突起３３と先端突起３４をまた下地材側係止金具２０側に中間係止突起３５をそれぞれ設置し且つそのパネル１端部近傍付近に透孔３６を設置した上記挿入溝４０に挿入用のものとしてあり，上記パネル１の下地材１０への固定は，該パネル側係止金具３０を上記挿入溝４０に挿入し中間突起３３を下地材１０の正面に引掛け係止して先端突起３４を下地材１０側面に対接状態とするとともに中間係止突起３５を下地材側係止金具２０の中間係止溝２５にスナップイン係止することによって行ったものとする一方，上記透孔３６を介して下地材側係止金具２０のパネル１側先端を押圧して上記スナップイン係止を解除してパネル１を下地材１０から取外し自在としたものとしてあり，このとき下地材１０は，その側面を正面側に向けて幅狭とするように傾斜面とすることにより上記パネル側係止金具３０の先端突起３４をスナップイン係止前後で該傾斜面に対して摺動圧接自在とするとともに上記下地材側係止金具２０の中間係止溝２５は，これを挿入方向に傾斜開口した傾斜Ｖ字溝とし且つパネル側係止金具３０の中間係止突起３５を挿入方向逆向きに傾斜突出した傾斜突起とすることにより上記スナップイン係止を中間係止溝２５強制拡開状態の引掛け係止としパネル側係止金具３０を下地材１０と下地材側係止金具２０間に常時強圧挟持自在としてある。
【００１７】
本例の下地材１０は，例えばブラケット１４を介して建物躯体に縦横格子状をなすように設置した，厚肉中空のアルミ押出材によるものとしてあり，本例にあって上記側面は，例えば５乃至２０°程度とするように緩傾斜した傾斜面を有するものとして断面台形ボックス状とした厚肉中空の下地材基部１１と，その幅方向両側に張出突出した厚肉一対の固定突片１２，本例にあっては下地材基部１１から背面に向けた連結部を介して倒Ｌ字状をなすようにその先端から側方に向けて突出した固定突片１２とを備えて幅方向に対称断面形状のものとし，下地材基部１１の側面にそれぞれ下地材側係止金具２０設置による上記挿入溝４０を形成することによって下地材１０の両側に上記パネル１端部を固定してその設置を行うようにしてあり，このときパネル１端部間を離隔して下地材１０正面，即ち下地材基部１１の正面を開放するか又は必要に応じて開放自在に閉鎖するようにした縦方向又は横方向の溝状の目地４１を配置してそのパネル１固定を行うものとしてある。
【００１８】
本例の下地材側係止金具２０は，これを曲げ鋼板製とし，下地材の長手方向全長乃至所定間隔設置用の長尺部材又は数ｃｍ程度又はそれ以下の短尺部材をなすものとしてあり，下地材固定用の固定片２１と，該固定片２１から屈曲延設して下地材対向面側に傾斜した傾斜片２３と，該傾斜片２３から屈曲延設してパネル１幅方向の端部側に緩傾斜又は直交して上記中間係止溝２５を設置した係止片２４と，該係止片２４を更に屈曲延設した上記パネル側係止金具３０の透孔３６対応位置の押圧片２７とを備えて形成してあり，このとき本例の下地材側係止金具２０の傾斜片２３は，これを，上記固定片２１から湾曲部２２を介して屈曲延設したものとしてあり，また上記押圧片２７には透孔２８を設置したものとしてある。
【００１９】
即ち本例の下地材側係止金具２０は，その固定片２１を上記下地材１０の下地材基部１１幅方向両側に張出突出した厚肉一対の固定突片１２に重合固定することによって下地材１０の側方にあってその傾斜片２３，係止片２４及び押圧片２７を正面側，即ちパネル１側に向けて突出するようにして上記傾斜面をなす下地材１０の側面との間に挿入溝４０を形成するようにしてあり，本例にあって該下地材側係止金具２０はスプリング性の強い材質と形態とを備えたものとし，本例ではこれを例えばステンレス鋼，炭素鋼等のスプリングの強い鋼板を用いて形成するとともにその肉厚を，例えば０．５ｍｍ程度又はそれ以上としてある。
【００２０】
傾斜片２３は，その傾斜角度を，例えばパネル１背面の直交線と下地材側に３０±５°程度とするように傾斜したものとし，係止片２４はこれより緩やかな傾斜角度，例えば同じく直交線と１０°程度以下の傾斜又は傾斜０°としたものとし，これによって該係止片２４に形成した中間係止溝２５にパネル側係止金具３０の中間係止突起３５をスナップイン係止することにより挿入溝４０側に向けた強力なスプリング性を発揮して該スナップイン係止を可及的に強固に行なってその耐久性を確保するようにしてあり，このとき下地材１０に重合固定した固定片２１を側方に延長するとともに傾斜片２３の屈曲延設を湾曲部２２を介して行なうことによって下地材側係止金具３０のスプリング性を更に強固とするように向上し，例えば下地材１０の固定突片１２端縁に沿うようにＬ字状に屈曲する等した場合に生じる該屈曲部分に対するスナップイン係止に伴う力の集中を回避し，その耐久性の向上を図るようにしてある。
【００２１】
係止片２４に設置した本例の中間係止溝２５は，係止片２４に起立片部２６を設けることによってこれを画するようにし，上記挿入方向に傾斜開口することによって挿入溝４０の内方奥行方向に傾斜した開口を備えた，その内角を８０±５°程度としてあり，これによってパネル側係止金具３０の中間係止突起３５を該中間係止溝２５を強制拡開した状態に引掛け係止するものとして，上記スナップイン係止を可及的強固且つ確実に行うとともにこれが外れたり緩んだりする可能性を解消するものとしてある。
【００２２】
押圧片２７は，係止片２４における中間係止溝２５を画する起立片部２６先端から中間係止溝２５と逆向きのＶ字状をなすように挿入方向逆向きにして挿入溝４０の外方に向けて突出することによってパネル側係止金具３０の先端突起３４の摺動ガイドをなして該先端突起３４が上記傾斜片２３と係止片２４をそのスプリング力に抗して外側に拡開してこれを通過復帰してその引掛け係止を確実且つ強固になし得るようにする一方，その先端部分に上記透孔２８を透設して設置してあり，これによってパネル側係止金具３０の透孔３６から引掛け工具５０等によって押圧片２７を上記目地側に引寄自在として下地材側係止金具２０に変形を来した場合にその形状の矯正による補修をなし得るようにしてある。
【００２３】
本例のパネル側係止金具３０は，これをアルミ押出材製とし，例えばパネルの四辺に固定するように長尺部材としてあり，例えばパネル固定片３１と，該固定片３１からパネル１背面の上記挿入溝４０の挿入方向，即ち奥行方向に向けて突出した基部３２と，該基部３２の下地材１０対向面側に設置した中間突起３３と先端突起３４と，同じく基部３２の下地材側係止金具２０対向面側に設置した中間係止突起３５と，上記基部３２の最パネル側に位置する上記中間突起３３よりパネル１端部近傍に透設して設置した透孔３６とを備えて形成してあり，このとき上記中間係止突起３５は，これを挿入溝４０の挿入方向逆向きに傾斜突出した傾斜突起としてある。
【００２４】
即ち該パネル側係止金具３０は，その肉厚を標準的に数ｍｍ程度乃至それ以上とした厚肉又は比較的厚肉のものとしてあり，その固定片３１は，パネル端縁と端部背面をＬ字状に被覆するように端面カバー部３１１と背面当接部３１２とを備えるとともに背面当接部３１２を部分的に屈曲隆起して背面から浮かせたネジ止め部３１３を形成したものとし，基部３２は該固定片３１の背面当接部３１２から背面直交方向に起立突出し，その両側面一側の下地材１０対向面側中間突起３３及び先端突起３４と，他側の下地材側係止金具２０対向面側中間係止突起３５とを突設し，パネル１端部近傍付近，即ち固定片３１近傍付近に上記透孔３６を透設設置してある。
【００２５】
中間突起３３と先端突起３４は，その下地材１０側の先端が直角のＬ字面上に位置するように配置し，中間突起３３は下地材１０正面に引掛け係止するように下地材１０側に突出し，先端突起３４は基部３２先端から下地材１０側面の傾斜面に所定位置，本例にあってはパネル側係止金具３０のスナップイン係止の定位置の僅かに手前位置のＰ点で接触し，スナップイン係止のための押圧，特に圧入によって先端突起３４が傾斜面をＰ点より挿入溝４０の奥行方向に向けて上記摺動圧接するようにしてあり，このとき本例の先端突起３４は，これを，上記下地材１０の傾斜面に線接触自在の形状に形成し，これによって傾斜面に対する摩擦抵抗を可及的に減少して押圧を容易化し得るようにしてある。
【００２６】
傾斜突起とした中間係止突起３５は，例えば基部３２と４０°乃至５０°程度，本例にあっては４５°程度の角度のＶ字状を呈して上記下地材側係止金具３５の押圧片２７の突出方向と逆に挿入方向逆向きに傾斜突出してあり，このとき本例の中間係止突起３５先端は，挿入方向上面から正面にかけて湾曲し又は挿入方向上面側に膨出する等することによって円弧状の面を備えたものとし，上記下地材側係止金具２０の摺動ガイドをなすようにした上記起立片部２６に沿ってこれを押圧しながら容易に乗越えてその中間係止溝２５にスムーズに引掛け係止し得るようにしてある。また中間係止突起３５先端は，その大きさ，傾斜角度等とともに上記中間突起との位置関係を規制して，該突起３５が上記下地材１０正面に対接したその引掛け係止状態で下地材側係止金具２０の中間係止溝２５を強制拡開状態とするようにしてある。
【００２７】
透孔３６は，基部３２に，例えば先端を屈曲し又は折り返したバー状の引掛け工具５０等を通過可能にして透設することによって基部３２の強度を弱めない位置と径によるものとし，例えば基部３２の幅に応じてその中間位置に設置し，直径を５ｍｍ乃至２ｃｍ程度としたものとしてある。
【００２８】
このように形成した下地材１０，下地材側係止金具２０，パネル側係止金具３０を用いたパネル１の下地材１０への固定は，下地材１０両側の固定突片１２に各下地材側係止金具２０の固定片２１を重合固定することによって，下地材側係止金具２０を下地材１０長手方向所定間隔に設置する一方，パネル１の四周にそれぞれパネル側係止金具３０を，そのパネル固定片３１の端面カバー部３１１がパネル１端面を覆い背面当接部３１２がパネル１端部背面に対接するようにしてネジ止め部３１３を介してパネル１に対して所定間隔のネジ止めを行なうか又はこれに先立つ接着固定とネジ止めを併用して固定してその設置を行い，パネル側係止金具３０を下地材１０と下地材側係止金具２０による各挿入溝４０の位置に合わせ，パネル１をその正面側から背面側に向けて押圧して，パネル側係止金具３０を挿入溝４０に圧入するようにしてパネル側係止金具３０を所定間隔の下地材側係止金具２０にスナップイン係止して，該パネル側係止金具３０を下地材１０と下地材側係止金具２０間に強圧挟持するようにすればよく，このようにパネル１を下地材１０に固定することによって，パネル側係止金具３０の下地材１０及び下地材側係止金具２０の位置関係から，本例にあってはパネル１間にそれぞれ開放した所定幅の目地４１が形成されるとともにパネル１端面が被覆されて，目地４１付きにして外観のよいパネル１の張設が可能となるとともに，パネル１を着脱自在としつつもその固定を強固且つ確実に行って固定の耐久性を確保して実用性に富んだものとすることができる。
【００２９】
本例は図示されるようにパネル１が目地４１を挟んでその両側に垂直又は水平の連続面をなすようにした配置をなすが，出隅又は入隅においては，下地材１０の形状を変更して直交するように配置した２つの傾斜側面にそれぞれ下地材側係止金具２０を直交方向とするように設置し，同様にパネル側係止金具３０によってパネル１を設置するようにすればよい。
【００３０】
図中１２１は下地材１０の固定突片１２に形成した下地材側係止金具２０の固定片２１を重合固定するについて該固定片２１を突き当てるようにしてその位置決めをなし得るようにした位置決め段部，１３は下地材１０の背面側に一体に突出して躯体に設置したブラケット１４に添設固定することによって該下地材１０を躯体に設置するようにした取付片，１５はブラケット１４の躯体固定用アンカーボルトを示す。
【００３１】
一方，上記下地材側係止金具に設置した中間係止溝とパネル側係止金具に設置した中間係止突起とを，下地材側係止金具に中間係止突起を，パネル側係止金具に中間係止溝を設置することによって，中間係止溝及び中間係止突起の設置対象を逆とすることによっても，上記図示した例と同様にスナップイン係止によってパネル側係止金具を下地材と下地材側係止金具間に強圧挟持したパネルの下地材への固定を行なうことができ，同じく目地付きにして外観のよいパネル張設が可能となり，またパネルを着脱自在としつつもその固定を強固且つ確実に行って固定の耐久性を確保して実用性に富んだものとすることができる。具体例の図示を省略するが，この場合も下地材，下地材側係止金具，パネル側係止金具の基本的構成乃至具体的構成を上記と共通にする一方，中間係止溝と中間係止突起の関係を逆にすることによってこれら相互の引掛け係止をなし得るようにすればよく，このとき例えば下地材側係止金具を上記厚肉の曲げ鋼板製とし，上記パネル側係止金具を厚肉のアルミ押出材製とするについては，そのスナップイン係止をこれら金属の弾発性を用いて中間係止突起の強制圧縮状態の引掛け係止とするようにすればよく，更に下地材側係止金具における中間係止突起と押圧片との関係，押圧片によるガイドとパネル側係止金具における中間係止溝を画する一対のうち先端側の起立片先端の関係等も上記と同様にすればよい。
【００３２】
また下地材側係止金具の固定片を下地材に形成した挟持溝に嵌合挟持してその固定による設置を行うものとすること，下地材側係止金具及びパネル側係止金具の双方をアルミ押出材製とし，曲げ鋼板製とし，或いはその双方又は一方をニッケル合金等その余の材料によるものとすること，パネル側係止金具を固定片部分と基部部分とを分離形成して接合又は嵌合した複数のアルミ押出材製とすること，下地材側係止金具の湾曲部に代えて多角形屈曲部によるものすること，その上記係止片を傾斜片の延長線上に配置すること，押圧片の透孔設置を省略すること，同じく押圧片を上記起立片部とＶ字状をなす突出部から屈曲したパネル側係止金具の基部に平行片を備えたものとし，また該平行片に透孔を設置するようにすること等の具体的形態を含めて，本発明の実施に当って下地材，下地材側係止金具，その中間係止溝，パネル側係止金具，その中間突起，先端突起，中間係止突起等の形状，構造，材質，寸法，これらの関係，これらに対する介設や付加等は，上記発明の要旨に反しない限り様々な具体的形態のものとすることができ，以上に示したものに殊更限定するに及ばない。
【００３３】
【発明の効果】
本発明は以上のとおりに構成したから，請求項１に記載の発明は，パネルに固定したパネル側係止金具を下地材とこれに固定した下地材側係止金具間にスナップイン係止することによって該パネル側係止金具をこれら下地材と下地材側係止金具によって常時強圧挟持自在とし，これら金具によるパネル保持力を可及的高度に発揮して，ガタツキや位置ズレ等の発生を抑制し長期に亘って固定の耐久性と安定性を維持確保することによって，パネルを着脱自在としつつもその固定を強固且つ確実に行って固定の耐久性を確保して実用性に富むようにした着脱自在のパネルスナップイン固定装置を提供することができる。
【００３４】
請求項２に記載の発明は，上記に加えて，中間係止突起が中間係止溝の強制拡開状態とするようにスナップイン係止を行なって上記常時強圧挟持を更に確実になし得るものとすることができる。
【００３５】
請求項３に記載の発明は，同じく上記に加えて，パネルに多数使用するパネル側係止金具の摺動圧接を可及的スムーズになし得る形態として，挿入時の抵抗を可及的に減少しパネル固定作業の作業性を高度に確保し得るものとすることができる。
【００３６】
請求項４に記載の発明は，同じく上記に加えて，上記下地材側係止金具における中間係止溝の鋭角角度を好ましいものとして，スナップイン係止を確実にして安定したものとすることができる。
【００３７】
請求項５に記載の発明は，同じく上記加えて，上記不可欠部材である下地材側係止金具がそのスプリング効果による強固な挟持力を発揮して該金具を上記常時の強圧挟持に適したものとすることができる。
【００３８】
請求項６に記載の発明は，同じく上記に加えて，該下地材側係止金具のスプリング効果が固定片から傾斜片を屈曲延設することによって該屈曲部が疲労する可能性を解消して，スプリング効果の耐久性を高度のものとすることができる。
【００３９】
請求項７に記載の発明は，同じく上記に加えて，パネル着脱の作業によって下地材側係止金具が変形を来すような事態を生じたとしても，例えばその先端に位置する押圧片を引掛け具で引寄せる等することによって，その変形矯正の簡易な補修をなし得るようにして該金具の交換を可及的に不用として充分なスプリング効果を発揮し得るものとすることができる。
【００４０】
請求項８に記載の発明は，上記下地材側係止金具に設置した中間係止溝とパネル側係止金具に設置した中間係止突起とを，下地材側係止金具に中間係止突起を，パネル側係止金具に中間係止溝を設置することにより，同様に中間係止溝及び中間係止突起の設置対象を逆として，同様にパネル側係止金具をこれら下地材と下地材側係止金具によって常時強圧挟持自在とすることによってパネル固定の安定した長期に亘る耐久性を確保するようにして，パネルを着脱自在としつつもその固定を強固且つ確実に行って固定の耐久性を確保して実用性に富むようにした着脱自在のパネルスナップイン固定装置を提供することができる。
【図面の簡単な説明】
【図１】パネルの下地材への設置状態を示す横断面図である。
【図２】片側一方のパネル側係止金具とその挿入溝の関係を示す横断面図である。
【図３】パネルの取り外し可能状態を示す横断面図である。
【符号の説明】
１  パネル
１０  下地材
２０  下地材側係止金具
２２  湾曲部
２３  傾斜片
２４  係止片
２５  中間係止溝
２７  押圧片
２８  透孔
３０  パネル側係止金具
３３  中間突起
３４  先端突起
３５  中間係止突起
３６  透孔
４０  挿入溝
４１  目地
【図１】
2004244853.tif 000003
【図２】
2004244853.tif 000004
【図３】
2004244853.tif 000005